(57)【要約】【課題】遊技装置、遊技価値変換装置の不正を監視ならびに防止する。【解決手段】遊技情報媒体の情報に基づいて遊技装置１の遊技を行うための遊技媒体もしくはデータ等の遊技価値への変換制御を行う遊技価値変換装置２０と接続して、遊技価値変換装置２０の不正動作を監視する監視装置であって、前記遊技価値変換装置２０より遊技価値変換駆動装置３７へ送信される遊技価値変換情報信号を収集する遊技価値変換情報管理手段４２を備える。【選択図】図１０
2006255441.tif 000002
【特許請求の範囲】
【請求項１】
遊技情報媒体の情報に基づいて、パチンコ機の遊技を行うための遊技媒体若しくはデータ等の遊技価値への変換制御を行う遊技価値変換装置と、前記パチンコ機の遊技制御を行う遊技制御装置と、前記遊技価値変換装置からの信号により前記パチンコ機の排出装置を制御して前記遊技価値を排出させる排出制御装置と、前記遊技制御装置と接続し、当該遊技制御装置の演算処理装置が正当なものであるか否かを監視する監視装置と、を備えた遊技装置において、
前記排出制御装置は、前記遊技価値変換装置に変換制御用の電源供給を行うよう構成されてなり、
前記監視装置は、前記遊技制御装置の演算処理装置が正当なものでない場合には、前記遊技価値変換装置への変換制御用の電源供給を停止させることで、当該遊技価値変換装置の遊技価値への変換制御を不能にすることを特徴とする遊技装置。
【請求項２】
前記監視装置は、前記遊技制御装置ならびに前記遊技価値変換装置とも接続し、当該遊技価値変換装置が正当なものであるか否かを監視するよう構成され、
前記遊技価値変換装置が正当なものでない場合には、当該遊技価値変換装置への変換制御用の電源供給を停止させることで、該遊技価値変換装置の遊技価値への変換制御を不能にすることを特徴とする請求項１に記載の遊技装置。
【請求項３】
前記監視装置は、前記遊技制御装置の演算処理装置が正当なものでない場合には、当該遊技制御装置に異常情報を送信し、
前記遊技制御装置は、前記監視装置からの異常情報により遊技制御を停止することを特徴とする請求項１又は請求項２に記載の遊技装置。
【発明の詳細な説明】
【技術分野】
【０００１】
この発明は、遊技情報媒体の情報に基づいて、パチンコ機の遊技を行うための遊技媒体若しくはデータ等の遊技価値への変換制御を行う遊技価値変換装置と、前記パチンコ機の遊技制御を行う遊技制御装置と、前記遊技価値変換装置からの信号により前記パチンコ機の排出装置を制御して前記遊技価値を排出させる排出制御装置と、前記遊技制御装置と接続し、当該遊技制御装置の演算処理装置が正当なものであるか否かを監視する監視装置と、を備えた遊技装置に関する。
【背景技術】
【０００２】
パチンコ機等の側部に玉貸機を配設し、玉貸機に所定のカード（遊技情報媒体）を挿入して、パチンコ機等に備えられた操作部の玉貸スイッチを操作すると、玉貸機がその玉貸スイッチの入力を受付けると共に、パチンコ機に設けられた排出制御装置に玉貸しの指令を行い、これにより玉貸スイッチの入力に基づく数の遊技球（遊技媒体）を遊技装置に設けられた排出装置から遊技装置の供給皿に供給するカード式玉貸機付き遊技装置がある。
【０００３】
このようなカード式玉貸機は、玉貸情報（玉貸情報、カード発行情報等）等を収集するカード情報処理装置から、所定の間隔で中継装置を経由してポーリング（各端末への呼びかけ）が行われ、当該カード式玉貸機がポーリングされたときに未送信の玉貸情報があれば、その情報がカード情報処理装置へ送信される。
【０００４】
このカード情報処理装置へ送信されて収集された玉貸情報は、当日分が遊技店の閉店時等にカード会社に送信され、決済が行われる。
【０００５】
ここで、カードの決済を説明すると、まずカード会社が遊技店にカードを販売する。例えば、１０００円のカードであれば、遊技店は１０００円＋１４円＝１０１４円の金額を支払う。このうちの１４円はカード代およびカード会社の利益になり、１０００円は以降に遊技店より請求を受ける玉貸金額の支払いのプール金としてプールされる。
【０００６】
そして、１０００円のカードを購入した遊技店は、カード発行機にカードを格納してカードの発行を行い、遊技者が１０００円のカードを購入した段階で、カードの仕入れ代金（１４円を除く）を回収し、以降は遊技者が当該カードで玉貸しを行った分を、前述のカード情報処理装置からの送信によりカード会社に請求して、カード会社がプール金より遊技店に玉貸金額を支払うことで決済される。
【０００７】
また、パチンコ機の役物制御装置（遊技制御装置）には、画像表示装置や変動入賞装置等の役物制御を行うプログラムが格納されたＲＯＭが収納されているが、そのプログラムが改竄されたり、ＲＯＭが不正に交換されたりするのを防ぐために、役物制御装置に遊技プログラムを格納したＲＯＭ等の機能を１チップ化した遊技用の演算処理装置が使用されて来ている。
【発明の開示】
【発明が解決しようとする課題】
【０００８】
近年、遊技における不正の手口がハイテク化している。例えば、カード式玉貸機の制御プログラムを不当に改竄して、カードの挿入が無いのに、また遊技者が玉貸スイッチの操作を行わないのに、カード情報処理装置からポーリングがある毎に、所定の玉貸信号を送信するようにして、不当に玉貸金額をカード会社に請求する遊技店が出現している。このような不正があると、カード会社が請求分を支払うことになるため、損害は大きいのである。
【０００９】
また、遊技の制御においては、遊技プログラムを改竄して、不当に大当たりを出やすくする等の不正があるが、役物制御装置に遊技プログラムを格納したＲＯＭ等の機能を１チップ化した遊技用の演算処理装置を用いた場合でも、そのチップを丸ごと改竄されたり、交換されたりするといったことも考えられなくはない。大当たり等の不正は、射幸心を煽ることにもなる。
【００１０】
この発明は、このような不正を監視ならびに防止する遊技装置を提供することを目的としている。
【課題を解決するための手段】
【００１１】
第１の発明は、遊技情報媒体の情報に基づいて、パチンコ機の遊技を行うための遊技媒体若しくはデータ等の遊技価値への変換制御を行う遊技価値変換装置と、前記パチンコ機の遊技制御を行う遊技制御装置と、前記遊技価値変換装置からの信号により前記パチンコ機の排出装置を制御して前記遊技価値を排出させる排出制御装置と、前記遊技制御装置と接続し、当該遊技制御装置の演算処理装置が正当なものであるか否かを監視する監視装置と、を備えた遊技装置において、前記排出制御装置は、前記遊技価値変換装置に変換制御用の電源供給を行うよう構成されてなり、前記監視装置は、前記遊技制御装置の演算処理装置が正当なものでない場合には、前記遊技価値変換装置への変換制御用の電源供給を停止させることで、当該遊技価値変換装置の遊技価値への変換制御を不能にする。
【００１２】
第２の発明は、第１の発明において、前記監視装置は、前記遊技制御装置ならびに前記遊技価値変換装置とも接続し、当該遊技価値変換装置が正当なものであるか否かを監視するよう構成され、前記遊技価値変換装置が正当なものでない場合には、当該遊技価値変換装置への変換制御用の電源供給を停止させることで、該遊技価値変換装置の遊技価値への変換制御を不能にする。
【００１３】
第３の発明は、第１又は第２の発明において、前記監視装置は、前記遊技制御装置の演算処理装置が正当なものでない場合には、当該遊技制御装置に異常情報を送信し、前記遊技制御装置は、前記監視装置からの異常情報により遊技制御を停止する。
【００１４】
＜作用＞
役物制御装置の演算処理装置が正常か否かが判定され、正常なものでない場合、遊技価値変換装置への変換制御用の電源供給が停止されて遊技価値変換装置による遊技価値への変換が禁止される。
【発明の効果】
【００１５】
以上のように、この発明によれば、遊技制御装置の演算処理装置や遊技価値変換装置が丸ごと改竄されたり、交換されたりすると、遊技価値への変換制御が不能となったり、遊技制御を停止されるので、演算処理装置や遊技価値変換装置の不当な改竄や交換を確実に防止でき、不正な球貸しや大当りを出やすくさせるといったことを防止できる。
【００１６】
また、演算処理装置や遊技価値変換装置の制御プログラムの改竄等を防止でき、演算処理装置及び遊技価値変換装置の高いセキュリティを確保でき、遊技装置の信頼性が向上する。
【発明を実施するための最良の形態】
【００１７】
以下、本発明の実施の形態を図面に基づいて説明する。
【００１８】
図１のように遊技装置（パチンコ機）１には、前面枠に遊技盤２が配設され、遊技盤２は前面枠に取付けられたカバーガラス３により覆われる。
【００１９】
遊技装置１の前面枠の上部には大当たり等のパイロットランプ４等が配設され、前面枠の下部には遊技媒体としての遊技球（パチンコ球）の供給皿５、受け皿６、供給皿５からの遊技球を１個ずつ遊技領域へ打ち出す打球発射装置の操作部７等が配設される。
【００２０】
遊技盤２の表面には、図２のようにガイドレール８で囲われた遊技領域のほぼ中央に遊技画像等を表示する画像表示装置１０が、画像表示装置１０の下方に変動入賞装置１１が配設される。
【００２１】
変動入賞装置１１の直上方には始動口１２が配設され、始動口１２には入賞球を検出する始動スイッチ１３が設けられる。
【００２２】
始動口１２への遊技球の入賞（入賞記憶）に基づき、画像表示装置１０の画像遊技（複数の識別情報の可変表示等）が開始され、その画像遊技が所定の態様で停止すると、大当たり遊技が発生される。大当たり遊技が発生すると、変動入賞装置１１が所定期間、球を受け入れない閉状態（遊技者に不利な状態）から球を受け入れやすい開状態（遊技者に有利な状態）に変換される。
【００２３】
始動口１２の入賞記憶は、画像表示装置１０の上部の記憶表示部（ＬＥＤ）１４に表示される。変動入賞装置１１内には、入賞球数をカウントするカウントスイッチ１５ならびに継続入賞口への入賞球を検出する継続スイッチ１６が設けられる。
【００２４】
アウト口１７および入賞した遊技球は集合され回収球として回収されると共に、その回収路に回収球を検出する回収玉スイッチ１８が配設される。
【００２５】
遊技釘は図示省略されている。
【００２６】
遊技装置１の片側には、カード式の玉貸機（遊技価値変換装置）２０が付設される。玉貸機２０には、カードリーダライタ２１と、玉貸制御装置２２と、通信制御装置２３等が内蔵され、前面にカードリーダライタ２１へのカード挿入部２４と、玉貸機２０が作動状態にあることを示す有効表示ＬＥＤ２５と、通信制御装置２３の光送受信部２６とが設けられる。
【００２７】
遊技装置１の供給皿５には、操作パネル２７が形成され、操作パネル２７に玉貸機２０のカード挿入部２４に挿入されたカードの残度を表示する残度表示器２８と、マニュアルの玉貸スイッチ３０と、玉貸しが可能な状態にあることを示す玉貸可能表示ＬＥＤ３１と、カードの返却を指令するカード返却スイッチ３２とからなる玉貸操作装置３３が設けられる。
【００２８】
玉貸機２０のカード挿入部２４に所定のカードを挿入した状態で、操作パネル２７（玉貸操作装置３３）の玉貸スイッチ３０を押すと、カードの残度の範囲で玉貸スイッチ３０の１回の操作につき所定数の貸し球が、遊技装置１裏面の排出装置３４を介して供給皿５に排出される。
【００２９】
遊技装置１の裏側には、図３のように球貯留タンク３５、球貯留タンク３５の球を排出装置３４に誘導する誘導樋３６、排出装置３４を制御する排出制御装置３７、遊技盤２の変動入賞装置１１、各ランプ、ＬＥＤおよび表示制御装置３８を介して画像表示装置１０等を制御する役物制御装置（遊技制御装置）４０、打球発射装置の発射制御装置４１、役物制御装置４０および玉貸機２０を監視すると共に遊技装置１および玉貸機２０の稼働情報を収集、管理する監視装置４２等が配設される。
【００３０】
遊技盤２から入賞球が入賞球排出ユニット（図示しない）に送られると、排出制御装置３７によって排出装置３４が駆動され、排出装置３４から入賞球に基づく所定数の球が賞品球として供給皿５に排出される。
【００３１】
玉貸機２０から玉貸し要求があると、排出制御装置３７によって排出装置３４が駆動され、排出装置３４から要求に基づく所定数の球が貸し球として供給皿５に排出される。
【００３２】
図４には遊技装置１および玉貸機２０の制御ブロック構成を示す。玉貸機２０と遊技装置１とでは、監視装置４２および監視装置４２に設けられるインターフェイス回路部７３を介して各信号の授受が行われる。
【００３３】
玉貸制御を、図５に関連した信号を示して説明すると、玉貸機２０の玉貸制御装置２２から監視装置４２のインターフェイス回路部７３を介して遊技装置１の排出制御装置３７へは、玉貸制御装置２２と排出制御装置３７との接続確認信号が、玉貸しの要求があるときに玉貸要求信号が、ならびに要求に基づく数の玉貸単位信号が送られる。
【００３４】
排出制御装置３７からインターフェイス回路部７３を介して玉貸制御装置２２へは、制御用の電源供給を行うと共に、遊技装置１の台設置確認信号が、玉貸しが完了したときに玉貸完了信号が送られる。
【００３５】
玉貸制御装置２２からインターフェイス回路部７３を介して操作パネル２７へは、玉貸しが可能な状態にあるときに玉貸可能表示ＬＥＤ３１へ玉貸可能表示信号が、ならびにカード残度表示器２８へカードの残度のセグメント表示信号が送られる。
【００３６】
操作パネル２７からインターフェイス回路部７３を介して玉貸制御装置２２へは、玉貸スイッチ３０のオン時に玉貸スイッチ信号が、カード返却スイッチ３２のオン時にカード返却スイッチ信号が送られる。
【００３７】
玉貸機２０のカードリーダライタ２１に所定のカードが挿入されると、玉貸制御装置２２から操作パネル２７へ玉貸可能表示信号ならびにセグメント表示信号が送られ、玉貸可能表示ＬＥＤ３１が表示され、カード残度表示器２８にカードの残度が表示される。
【００３８】
操作パネル２７の玉貸スイッチ３０が押され、玉貸制御装置２２へ玉貸スイッチ信号が送られると、玉貸制御装置２２から排出制御装置３７へ玉貸要求信号と要求に基づく数の玉貸単位信号が送られ、排出制御装置３７によって排出装置３４が駆動されて、排出装置３４から玉貸単位信号に基づく所定数の球が貸し球として遊技装置１の供給皿５に排出される。
【００３９】
この玉貸単位信号は、１００円の玉貸金額を１単位１パルスとして、例えば玉貸スイッチ３０の１回のオンに対して５００円分の玉貸しが行われる場合は、５パルスの信号が出力されるように設定される。
【００４０】
貸し球の排出が完了すると、排出制御装置３７から玉貸制御装置２２へ玉貸完了信号が送られ、カードの残度から所定度数が引かれ、玉貸制御装置２２から操作パネル２７へ送られるセグメント表示信号が切替えられ、残りの度数がカード残度表示器２８に表示される。
【００４１】
なお、カードの残度がなくなると、玉貸しが不可となり、玉貸制御装置２２から玉貸可能表示信号が出力されず、玉貸可能表示ＬＥＤ３１が消灯される。
【００４２】
図６には役物制御装置４０の制御ブロック構成を示す。役物制御装置４０は、遊技用演算処理装置（遊技用演算チップ）４３、クロック４４、入力ポート４５、フィルタ、出力ポート４６、ドライバ、サウンドジェネレータ４７等から構成される。
【００４３】
遊技用演算処理装置４３は、ＲＯＭの交換等による不正が行われないようにしたもので、１チップに、図７のように中央処理装置としてのＣＰＵコア５０、ＲＯＭ５２、作業領域としてのＲＡＭ５３、ウォッチドッグタイマ５４、アドレスデコーダ５５、ＰＩＯ５６、ＣＴＣ、クロックジェネレータ５７、リセット／割り込みコントローラ５８、出力制御回路６０、外部バスインターフェース６１等が備えられる。
【００４４】
ＲＯＭ５２には、それぞれ所定の領域にシステムプログラム（セキュリティプログラムを含む）、遊技プログラム（ユーザープログラム）、および遊技プログラムを所定のアルゴリズムで暗号化した値が格納されている。これは、予めシステムプログラムを格納したＲＯＭ５２に、遊技プログラム、その暗号化値の書き込みが、遊技用演算処理装置メーカーにて作成したマスターＲＯＭを用いて行われる。
【００４５】
クロックジェネレータ５７では、外部クロックから入力された周波数を分周したクロックが生成され、各内蔵デバイスへ供給される。
【００４６】
遊技プログラムは、各機器の初期化処理、遊技状態および各スイッチの検出に基づき表示制御装置３８、排出制御装置３７、サウンドジェネレータ４７等に制御信号を出力する処理、変動入賞装置１１、記憶表示部１４、各ランプＬＥＤ等の制御を行うプログラムデータ等から構成される。
【００４７】
役物制御装置４０（遊技用演算処理装置４３）が電源オンによってスタートすると、図８、図９のフローチャートに示すように各機器の初期化処理を行う（１．０１）。
【００４８】
初期化処理後、監視装置４２から遊技用演算処理装置４３のチップコードの読出しコマンドがあるかを見る。チップコードの読出しコマンドがあれば、監視装置４２へ遊技用演算処理装置４３のチップ情報（型式、製造番号等…遊技用演算処理装置４３固有の情報としてＲＯＭ５２等に格納してある）を送信する（１．０２，１．０３）。
【００４９】
チップ情報のＯＫを監視装置４２が確認して、監視装置４２から動作許可コマンドがあれば、ＲＯＭ５２に格納してある遊技プログラム（ユーザープログラム）を読み込み、遊技プログラムを所定のアルゴリズムにて暗号化して暗号化データを算出すると共に、予めＲＯＭ５２に格納してある遊技プログラムの暗号化データを読み込み、これらを比較する（１．０４，１．０７〜１．０９）。
【００５０】
これらの暗号化データが一致した場合は、遊技プログラムを正常と判定して、プログラム領域を遊技プログラム領域に切替え、遊技プログラムに処理を移行する（１．１０）。
【００５１】
監視装置４２から動作許可コマンドがなく、異常情報があった場合、あるいは遊技プログラムの暗号化データが一致しない場合は、不正処理に入り、動作を停止する（１．０５，１．０６，１．１１）。
【００５２】
このように役物制御装置４０のスタート時に、遊技用演算処理装置４３および遊技プログラムのセキュリティチェックが行われ、ＯＫの場合、遊技プログラムに処理を移行、即ち遊技の制御が開始される。
【００５３】
遊技の制御が開始され、遊技が行われると、遊技プログラムおよび始動口１２の始動スイッチ１３、変動入賞装置１１のカウントスイッチ１５、継続スイッチ１６等からの信号に基づいて、画像表示装置１０、変動入賞装置１１、各ランプＬＥＤ等が制御される。
【００５４】
始動口１２に遊技球が入賞すると、その入賞（入賞記憶）に基づき、画像表示装置１０の画像遊技（複数の識別情報の可変表示等）が開始され、所定時間後に停止される。この画像遊技が所定の態様（大当たり態様）で停止すると、大当たりとなり、大当たり遊技が発生される。
【００５５】
大当たり遊技が発生すると、変動入賞装置１１が所定期間、球を受け入れやすい開状態に変換、即ち遊技球が所定数入賞または所定時間経過するまで変動入賞装置１１が開放され、これを継続入賞口の入賞を条件に繰り返し、規定サイクル数行うと大当たり遊技が終了される。継続入賞口に入賞しないときは、そのサイクルにて大当たり遊技が終了される。
【００５６】
なお、画像表示装置１０の画像遊技が所定の態様で停止して大当たりが発生する確率は、乱数を基に決められ、所定の確率に設定されている。
【００５７】
図１０には監視装置４２の制御ブロック構成を示す。監視装置４２は、ＣＰＵ６２、ＲＯＭ６３、ＲＡＭ６４、不揮発性メモリ（例えば、フラッシュメモリ等）６５、クロック６６、タイマＩＣ６７、電池６８、Ｉ／Ｏインターフェイス７０および液晶等の表示装置７１（図３参照）、表示制御装置７２から構成されると共に、インターフェイス回路部７３が設けられる。
【００５８】
監視装置４２には、Ｉ／Ｏインターフェイス７０を介して、役物制御装置４０から大当たりが発生したときに出力される大当たり信号、始動口１２に遊技球が入賞したときに出力される始動口入賞信号、始動口１２の入賞（入賞記憶）に基づき画像表示装置１０の画像遊技が行われるときに出力される特図回動信号、大当たりが発生して変動入賞装置１１が開放されたときに出力される大入賞口開放信号、変動入賞装置１１に遊技球が入賞したときにカウントされるカウント数信号、回収球を検出する回収玉スイッチ１８からの回収玉信号、およびインターフェイス回路部７３を介して、玉貸制御装置２２から玉貸単位信号Ｘが入力される。
【００５９】
監視装置４２によって、これらの信号、情報に基づいて、遊技装置１および玉貸機２０の実稼働情報が収集、管理され、その情報が監視装置４２に設けられた表示装置７１に表示される。また、役物制御装置３２の遊技用演算処理装置４３のチップ情報から、チップ情報がＯＫか否かつまり遊技用演算処理装置４３が正常なものか否かの確認が行われる。
【００６０】
監視装置４２のケース７４には、図２２のように表示装置７１の下方に遊技装置１の機種名、それぞれメーカーにより設定されると共に所定の検定機関（保安電子通信技術協会等）による検定に適合済みの大当たり確率、始動口入賞率、大当たり時の獲得玉数等がプリントあるいはシール等が貼付されている。
【００６１】
なお、役物制御装置４０から遊技店の管理室に設置された管理装置８０へ、通信線、中継器等を介して、大当たりが発生したときに出力される大当たり信号、始動口１２の入賞（入賞記憶）に基づき画像表示装置１０の画像遊技が行われるときに出力される特図回動信号、大当たりが発生して変動入賞装置１１が開放されたときに出力される大入賞口開放信号、回収球を検出する回収玉スイッチ１８からの回収玉信号等が送信される。なお、この場合に役物制御装置４０からではなく監視装置４２から管理装置８０に前記した情報を送信するようにしてもよい。また、玉貸制御装置２２からカードに関連した情報（玉貸し情報、カード発行情報等）を収集するカード情報処理装置（図示しない）へ、カード情報処理装置からポーリングがある毎に、通信制御装置２５、光送受信部２６、中継器等を介して、玉貸し情報が送信される。
【００６２】
次に、監視装置４２の動作内容を図１１〜図２１のフローチャートに基づいて説明する。
【００６３】
電源オンによって監視装置４２がスタートすると、図１１、図１２のように割込を禁止して初期化処理を行う（１０．０１〜１０．０３）。
【００６４】
初期化処理は、図１３のように各機器の初期化処理を行い、初期大当たり情報を管理するための初期化フラグをセットする（１１．０１，１１．０２）。
【００６５】
このセット後、役物制御装置４０（遊技用演算処理装置４３）へチップコードの読出しコマンドを送信して、役物制御装置４０から遊技用演算処理装置４３のチップ情報が送信されるのを待ち、チップ情報を受信すると、そのチップ情報を予め記憶してある情報と比較する（１１．０３〜１１．０６）。
【００６６】
チップ情報がＯＫであれば、遊技用演算処理装置４３が正常なものと判定して、役物制御装置４０へ動作許可コマンドを送信する（１１．０７，１１．０８）。
【００６７】
続いて、タイマＩＣより時間情報（日時）を取得して、玉貸情報の収集期間の更新時期であれば、その収集期間のラベル更新を行う（１１．０９〜１１．１１）。
【００６８】
チップ情報がＮＧのときは、遊技用演算処理装置４３が正常なものにないと判定して、異常情報を表示制御装置７２、役物制御装置４０に送信する（１１．１２，１１．１３）。表示制御装置７２は異常情報を表示装置７１に表示する。役物制御装置４０は不正処理に入り、動作を停止する。
【００６９】
また、異常情報を玉貸制御装置２２に送信して玉貸しを不能とすると共に、インターフェイス回路部７３の電源供給リレー７５をオンして、玉貸制御装置２２への制御用電源供給を停止する（１１．１４，１１．１５）。
【００７０】
遊技用演算処理装置４３が正常の場合、初期化処理を終えると、図１１、図１２にて割込禁止を解除する（１０．０４）。
【００７１】
割込処理は、図２０のように所定周期に処理を実行するために、所定周期毎にに割込フラグをセットする。また、図２１のように表示装置７１への送信処理を行う。
【００７２】
割込フラグに基づき、役物制御装置４０、インターフェイス回路部７３、回収玉スイッチ１８からの各信号の入力処理を行う（１０．０５〜１０．０７）。
【００７３】
この場合、大当たり信号があると、大当たりデータとして累積記憶する。始動口入賞信号があると、始動口入賞データとして累積記憶する。画像表示装置１０の特図回動信号があると、特図回動データとして累積記憶する。回収球を検出する回収玉スイッチ信号があると、回収玉データとして累積記憶する。変動入賞装置１１の入賞球のカウント数信号があると、カウント数データとして累積記憶する。変動入賞装置１１の大入賞口開放信号があると、大入賞口開放データとして累積記憶する。これらのデータは、不揮発性メモリ６５に記憶する（１０．０８〜１０．１９）。
【００７４】
続いて、初期大当たり確認処理、実確率演算処理、始動口入賞率演算処理、大入賞口平均入賞数演算処理、大当たり平均獲得玉数演算処理、玉貸情報確認処理、および表示処理を行う（１０．２０〜１０．２６）。
【００７５】
初期大当たり確認処理は、電源の投入後（遊技店の開店後）、１回目の大当たりが発生するまでに、画像表示装置の画像遊技（特図回動）が何回行われたかのデータ（モーニング期間と称す）を取るためのもので、図１４のように初期大当たり情報を管理するための初期化フラグがあるときに、大当たり信号の入力を待ち、大当たり信号があると、不揮発性メモリ６５に格納してある平均モーニング期間、最短モーニング期間、最長モーニング期間（それぞれ前日までのデータ）、および電源投入後の特図回動データ値（現在までの累積記憶値から電源投入時点の累積記憶値を引いたもの）を読み込む（１２．０１〜１２．０５）。
【００７６】
この特図回動データの読込値を、最短モーニング期間、最長モーニング期間と比較して、更新していれば、その読込値を不揮発性メモリ６５に書き込み、更新する（１２．０６）。また、この特図回動データの読込値を加えて、平均モーニング期間を算出して、その平均モーニング期間を不揮発性メモリ６５に書き込む（１２．０７）。
【００７７】
実確率演算処理は、遊技装置１の営業業務を開始してから現在までの間に、実際に発生した大当たりの実確率を演算するもので、図１５のように大当たりデータの累積記憶値、特図回動データの累積記憶値を読み込む（１３．０１，１３．０２）。
【００７８】
この大当たりデータの累積記憶値を特図回動データの累積記憶値で除算して、その除算値の小数点５桁以下を四捨五入した値を実確率値として不揮発性メモリに更新記憶する（１３．０３，１３．０４）。
【００７９】
始動口入賞率演算処理は、打球発射装置から遊技盤２の遊技領域に発射された遊技球の内、何個が始動口１２に入賞したかの入賞率を演算するもので、図１６のように遊技領域への発射球数に該当する回収玉データの累積記憶値、始動口入賞データの累積記憶値を読み込む（１４．０１，１４．０２）。
【００８０】
この始動口入賞データの累積記憶値を回収玉データの累積記憶値で除算して、その除算値の小数点４桁以下を四捨五入した値を始動口入賞率として不揮発性メモリ６５に更新記憶する（１４．０３，１４．０４）。
【００８１】
大入賞口平均入賞数演算処理は、変動入賞装置１１の１回の開放当たりに、変動入賞装置１１に何個の遊技球が入賞したかの平均入賞数を演算するもので、図１７のように変動入賞装置１１の入賞球のカウント数データの累積記憶値、変動入賞装置１１の大入賞口開放データの累積記憶値を読み込む（１５．０１，１５．０２）。
【００８２】
このカウント数データの累積記憶値を大入賞口開放データの累積記憶値で除算して、その除算値の小数点３桁以下を四捨五入した値を大入賞口平均入賞数として不揮発性メモリ６５に更新記憶する（１５．０３，１５．０４）。
【００８３】
大当たり平均獲得玉数演算処理は、大当たり毎に何個の賞球を獲得したかの平均獲得玉数を演算するもので、図１８のように変動入賞装置１１の入賞球のカウント数データの累積記憶値を読み込み、これに１個当たりの賞球数を積算して総賞球数を算出すると共に、大当たりデータの累積記憶値を読み込む（１６．０１〜１６．０３）。
【００８４】
この総賞球数を大当たりデータの累積記憶値で除算して、その除算値の小数点以下を四捨五入した値を大当たり平均獲得玉数として不揮発性メモリ６５に更新記憶する（１６．０４，１６．０５）。
【００８５】
玉貸情報確認処理は、所定期間毎の玉貸回数のデータを取るためのもので、図１９のようにインターフェイス回路部７３を介して玉貸単位信号Ｘ（１単位の玉貸金額につき１パルスの信号）を収集する。つまり、玉貸単位信号Ｘがあると、そのパルス数を玉貸データとして累積して、現在の玉貸情報の収集期間のラベルにて不揮発性メモリ６５に更新記憶する。玉貸情報の収集期間は、例えば１週間にして、５週間分、設定する（１７．０１〜１７．０３）。
【００８６】
なお、この場合玉貸単位信号Ｘの代わりに排出制御装置３７からの玉貸完了信号を読み込み、玉貸データとして累積記憶するようにしても良い（操作パネル２７の玉貸スイッチ３０の１回のオンに対して一定の金額の玉貸しのみ行うように設定してある場合等）。
【００８７】
表示処理は、これら初期大当たり確認処理、実確率演算処理、始動口入賞率演算処理、大入賞口平均入賞数演算処理、大当たり平均獲得玉数演算処理、玉貸情報確認処理にて求め、不揮発性メモリ６５に記憶した各データを表示装置７１へ送るフォーマットに直す。
【００８８】
これらのデータ、即ち大当たりの平均モーニング期間、最短モーニング期間、最長モーニング期間、大当たりの実確率、始動口入賞率、大入賞口平均入賞数、大当たり時平均獲得玉数、玉貸情報（１週間毎のデータ…５週間分）は、表示装置７１に図２２、図２３のように表示する。
【００８９】
監視装置４２のケース７４には、遊技装置１の機種名、メーカー仕様の大当たり確率、始動口入賞率、大当たり時の獲得玉数等（所定の検定機関による検定に適合済み）をプリントしてあり、表示装置７１にはモーニング期間…平均２００回、最短２５回、最長４００回、実確率…０．００５４、始動口入賞率…０．０４２、大入賞口平均入賞数…９．８、大当たり時平均獲得玉数…２２００、玉貸単位発生回数（１単位換算の玉貸回数）…期間１９９６．６．１〜６．７→４１００、期間１９９６．６．８〜６．１４→４０００、期間１９９６．６．１５〜６．２１→４５００、期間１９９６．６．２２〜６．２８→５０００、期間１９９６．６．２９〜７．５→３８００等の実稼働データを表示する。
【００９０】
このようにしたので、遊技装置１の性能つまり遊技店等で遊技を行っているときの遊技装置１の実際の性能を、監視装置４２の表示装置７１の表示を見るだけで把握できる。
【００９１】
この場合、モーニング期間から開店時に大当たりが出やすいかどうかが分かる。また、営業当初からの大当たりの実際の発生確率を確認できる。また、始動口入賞率より画像表示装置１０の画像遊技を行いやすいかどうかが分かる。また、大入賞口平均入賞数が規定数より多い場合あるいは大当たり時平均獲得玉数が多すぎる場合は、大当たり時に変動入賞装置１１やその他の入賞口に遊技球が入賞しやすくなっていたことを把握できる。
【００９２】
また、大当たりの発生確率、始動口入賞率、大当たり時平均獲得玉数は、監視装置４２のケース７４にプリントしてある仕様（所定の検定機関による検定済み）と比較して確認することができる。
【００９３】
このため、大当たりの発生確率が、正常な範囲かあるいは正常な範囲から大きく外れて大当たりが発生しやすくなっているかどうかを把握できる。遊技店にとっては、大当たりの発生確率、始動口入賞率等により、始動口１２等の釘調整の参考にもなる。
【００９４】
また、監視装置４２は、電源投入時に役物制御装置４０の遊技用演算処理装置４３のチップ情報を読み込み、そのチップ情報を予め監視装置４２に記憶してある情報と比較して遊技用演算処理装置４３が正常なものか否かを判定する。
【００９５】
この場合、遊技用演算処理装置４３が正常なものの場合に、遊技用演算処理装置４３の動作（遊技制御）を許可するが、遊技用演算処理装置４３が正常なものにない場合、遊技用演算処理装置４３の動作（遊技制御）を許可しない。また、遊技用演算処理装置４３が正常なものにない場合、異常を表示装置７１に表示すると共に、カード式玉貸機２０の玉貸しを不能にする。
【００９６】
このため、正規の遊技用演算処理装置４３が装着されているか、あるいは不正なものに交換されたかが容易に分かり、したがって遊技用演算処理装置４３が丸ごと改竄されたり、交換されたりすることを確実に防止でき、不正に大当たりを出やすくさせるといったことを防止できる。
【００９７】
また、遊技用演算処理装置４３が正常なものにない場合、遊技を行えない。また、監視装置４２は各情報を不揮発性メモリ６５に記憶するため、情報が消えることがない。このため、営業開始時よりの遊技装置１の情報を的確に得ることができる。
【００９８】
一方、カード式玉貸機２０の玉貸情報を、例えば１週間毎に、５週間分確認できる。この場合、玉貸制御装置２２から通信制御装置２５、光送受信部２６、及び中継装置を介して、カード情報処理装置へ信号が送信されて収集される玉貸情報を基に、カード会社等との間でカードの使用料等の決済が行われるが、その監視装置４２の表示装置７１の表示によって玉貸状態が分かる。また、監視装置４２によって、玉貸制御装置２２から貸し球の排出制御を行う排出制御装置３７に送られる玉貸単位信号あるいは排出制御装置３７からの玉貸完了信号を基に玉貸情報を収集するため、実際に排出された玉貸情報を収集できる。また、玉貸情報を不揮発性メモリ６５に記憶するため、情報が消えることがなく、所定期間毎の玉貸情報を収集、表示するため、カード情報処理装置へ送られた玉貸情報との比較を容易に行える。
【００９９】
このため、カード情報処理装置へ収集される玉貸情報が多いとき等、玉貸制御装置２２や通信制御装置２５等の異常、玉貸制御装置２２や通信制御装置２５等の不当な改竄を判断できる。したがって、カード会社への請求分が正当なものかを客観的に判断でき、カード式玉貸機２０の信頼性が向上する。
【０１００】
なお、監視装置４２が遊技装置１の稼働情報を収集して、表示装置７１に大当たりの発生確率、始動口入賞率、大入賞口平均入賞数、大当たり時平均獲得玉数等を表示するので、遊技装置１を検定する所定の検定機関での検定ならびに遊技装置１が遊技店等へ販売された後の検査機関の立ち入り検査時の検査等にも利用することができる。
【０１０１】
また、特定の大当たりが発生すると、その後、所定回数大当たりの発生確率を高くする確率変動タイプの遊技機種があるが、このような機種の場合は、その特定の大当たりの発生確率等、確率変動に関する情報を表示するようにできる。また、始動口入賞率は大当たり時のデータを除いた情報でも良い。また、始動口１２に電動チューリップ式のものを用いた場合等、その電動チューリップ部が開いたときのデータ分を補正するようにできる。
【０１０２】
図２４は別の実施の形態を示すもので、監視装置４２が、役物制御装置４０（遊技用演算処理装置４３）が正常なものか否かを判定すると共に、玉貸機２０（玉貸制御装置２２）も正常なものか否かを判定するようにしている。
【０１０３】
これらの判定は、監視装置４２の初期化処理にて行い、図２４のように各機器の初期化処理後、初期大当たり情報を管理するための初期化フラグをセットする（２１．０１，２１．０２）。
【０１０４】
このセット後、役物制御装置４０（遊技用演算処理装置４３）へチップコードの読出しコマンドを送信して、役物制御装置４０から遊技用演算処理装置４３のチップ情報が送信されるのを待ち、チップ情報を受信すると、そのチップ情報を予め記憶してある情報と比較する（２１．０３〜２１．０６）。
【０１０５】
チップ情報がＯＫであれば、遊技用演算処理装置４３が正常なものと判定して、役物制御装置４０へ動作許可コマンドを送信する（２１．０７，２１．０８）。この場合、遊技用演算処理装置４３のＲＯＭ５２にチップ情報として型式、製造番号、特定コードを設定して、これらを監視装置４２が照合するようにして良い。
【０１０６】
次に、玉貸機２０（玉貸制御装置２２）へ特定コードの読出しコマンドを送信して、玉貸制御装置２２から特定コード情報が送信されるのを待ち、特定コード情報を受信すると、その特定コード情報を予め記憶してある情報と比較する（２１．０９〜２１．１２）。
【０１０７】
特定コード情報がＯＫであれば、玉貸制御装置２２が正常なものと判定して、２１．１９以降に進む（２１．１３）。この場合、玉貸制御装置２２のＲＯＭに特定コードの他に認識番号を設定して、これらを監視装置４２が照合するようにして良い。
【０１０８】
２１．１９〜２１．２１に進むと、タイマＩＣより時間情報（日時）を取得して、玉貸情報の収集期間の更新時期であれば、その収集期間のラベル更新を行う。
【０１０９】
一方、遊技用演算処理装置４３のチップ情報がＮＧのときは、遊技用演算処理装置４３が正常なものにないと判定して、異常情報を表示制御装置７２、役物制御装置４０に送信する（２１．１４，２１．１５）。表示制御装置７２は異常情報を表示装置７１に表示する。役物制御装置４０は不正処理に入り、動作を停止する。また、異常情報を玉貸制御装置２２に送信し玉貸しを不能にすると共に、インターフェイス回路部７３の電源供給リレー７５をオンして、玉貸制御装置２２への制御用電源供給を停止する（２１．１６，２１．１８）。
【０１１０】
また、玉貸制御装置２２の特定コード情報がＮＧのときは、玉貸制御装置２２が正常なものにないと判定して、異常情報を表示制御装置７２に送信（異常情報を表示装置７１に表示）すると共に、インターフェイス回路部７３の電源供給リレー７５をオンして、玉貸制御装置２２への制御用電源供給を停止して玉貸しを不能にする（２１．１７，２１．１８）。
【０１１１】
このようにすれば、玉貸制御装置２２の制御プログラムの改竄等を防止でき、遊技用演算処理装置４３および玉貸機２０の高いセキュリティを確保でき、玉貸機付き遊技装置の信頼性が向上する。
【０１１２】
なお、カード式玉貸機２０からの情報を中継装置を介してカード情報処理装置が、役物制御装置４０からの情報を役物制御装置４０より管理装置８０が、収集するようにしたが、これに限らず、監視装置４２がカード式玉貸機２０からの情報、及び、役物制御装置４０からの情報を収集し管理装置８０に送信するようにしてもよい。この場合は、管理装置８０からカード会社にカードに関連した情報が送信されることになる。
【０１１３】
さらに、上記に限らず、遊技機が設置される島設備を１単位として、島設備に備えられている複数の監視装置４２の情報を収集する中継装置を設け、その中継装置が管理装置８０に収集した情報を送信するようにしてもよい。
【０１１４】
なお、監視装置４２による遊技用演算処理装置４３ならびに玉貸制御装置２２の管理は、上記したものに限らず、遊技用演算処理装置４３、玉貸制御装置２２にそれぞれ不揮発性メモリを設け、監視装置４２からチップ情報、特定コード情報を書き換えできるようにして毎日変更したチップ情報、特定コード情報を確認するようにすることもできる（チェック後、チップ情報、特定コード情報を変更し次の日に変更したチップ情報、特定コード情報でチェックする）。このようにすれば遊技用演算処理装置４３、玉貸制御装置２２の改竄が更に困難になる。
【０１１５】
また、前記したことに併せて、チップ情報、特定コード情報の変更を管理装置８０から行うようにしてもよい。
【０１１６】
また、この例はカードのデータを基に遊技球を貸し球として供給する普通カード式の場合について説明したが、カードのデータを遊技球データに変換して、遊技球データに基づいて遊技装置内の封入球によって遊技を行う完全カード式の遊技装置にも適用できる。
【０１１７】
以上のように、この明細書に記載した発明によれば、遊技情報媒体の情報に基づいて遊技価値変換装置によって実際に遊技価値への変換が行われた遊技価値変換稼働情報を収集、把握でき、したがってその遊技価値変換稼働情報を基に遊技価値変換装置の異常あるいは遊技価値変換装置の不当な改竄により遊技価値変換の不正な情報があったか否かを判断でき、遊技価値変換装置の信頼性が向上する。
【０１１８】
遊技装置、遊技価値変換装置の高いセキュリティを確保できる。遊技価値変換装置、遊技装置の稼働情報を的確に収集できる。役物制御装置の演算処理装置の不当な交換、プログラムの改竄を防止できる。
【０１１９】
特許請求の範囲に記載した以外の本発明の観点の代表的なものとして、次のものがあげられる。
【０１２０】
（１）遊技情報媒体の情報に基づいて遊技装置の遊技を行うための遊技媒体もしくはデータ等の遊技価値への変換制御を行う遊技価値変換装置と接続して、遊技価値変換装置の不正動作を監視する監視装置であって、
前記遊技価値変換装置より遊技価値変換駆動装置へ送信される遊技価値変換情報信号を収集する遊技価値変換情報管理手段を備えることを特徴とする監視装置。
【０１２１】
（２）遊技価値変換情報管理手段は、情報の報知手段を備える（１）に記載の監視装置。
【０１２２】
（３）遊技価値変換装置ならびに遊技装置の遊技制御を行う役物制御装置とも接続し、役物制御装置の演算処理装置が正当なものであるか否かを監視する正当性監視手段と、正当性監視手段により正当性が否定された場合に、遊技価値変換装置における遊技価値への変換制御を禁止する禁止手段と、を備える（１）に記載の監視装置。
【０１２３】
（４）遊技価値変換装置が正当なものであるか否かを監視する正当性監視手段と、正当性監視手段により正当性が否定された場合に、遊技価値変換装置における遊技価値への変換制御を禁止する禁止手段と、を備える（１）に記載の監視装置。
【０１２４】
（５）遊技価値変換装置ならびに遊技装置から収集した情報を保存する不揮発性記憶手段を有する（１）〜（４）のいずれか一つに記載の監視装置。
【０１２５】
（６）遊技装置の遊技制御を行う役物制御装置の演算処理装置を監視する監視装置であって、
電源投入時に役物制御装置の演算処理装置固有に割付けられている固有情報を読み取る固有情報読取手段と、
固有情報読取手段により読取った固有情報を、予め格納してある演算処理装置の固有情報と比較判定する比較判定手段と、
比較判定手段により不一致と認められた場合に遊技進行を停止する遊技進行停止手段と、を備えることを特徴とする監視装置。
【０１２６】
これらの観点の発明によって、遊技情報媒体の情報に基づいて遊技価値変換装置により遊技価値への変換制御が行われると、遊技価値変換駆動装置へ遊技価値変換情報信号が送信されて、遊技価値への変換が行われると共に、その遊技価値変換情報信号が収集され、したがってその収集されたデータによって実際に遊技価値への変換が行われた稼働情報が正確に把握される。
【０１２７】
また、役物制御装置の演算処理装置が正常か否かが判定され、正常でない場合、遊技価値変換装置による遊技価値への変換が禁止される、もしくは遊技進行が停止される。
【０１２８】
また、遊技価値変換装置が正常か否かが判定され、正常でない場合、遊技価値変換装置による遊技価値への変換が禁止される。
【図面の簡単な説明】
【０１２９】
【図１】玉貸機付き遊技装置の斜視図である。
【図２】遊技盤の正面図である。
【図３】玉貸機付き遊技装置の裏面図である。
【図４】遊技装置および玉貸機のブロック図である。
【図５】玉貸しの制御信号図である。
【図６】役物制御装置のブロック図である。
【図７】遊技用演算処理装置のブロック図である。
【図８】役物制御装置の動作内容の制御フローチャートである。
【図９】役物制御装置の動作内容の制御フローチャートである。
【図１０】監視装置のブロック図である。
【図１１】監視装置の動作内容のフローチャートである。
【図１２】監視装置の動作内容のフローチャートである。
【図１３】監視装置の動作内容のフローチャートである。
【図１４】監視装置の動作内容のフローチャートである。
【図１５】監視装置の動作内容のフローチャートである。
【図１６】監視装置の動作内容のフローチャートである。
【図１７】監視装置の動作内容のフローチャートである。
【図１８】監視装置の動作内容のフローチャートである。
【図１９】監視装置の動作内容のフローチャートである。
【図２０】監視装置の動作内容のフローチャートである。
【図２１】監視装置の動作内容のフローチャートである。
【図２２】監視装置のケース部分の正面図である。
【図２３】監視装置の表示装置の表示例を示す図である。
【図２４】別の実施の形態の動作内容を示すフローチャートである。
【符号の説明】
【０１３０】
１  遊技装置
２  遊技盤
５  供給皿
６  受け皿
７  操作部
１０  画像表示装置
１１  変動入賞装置
１２  始動口
１３  始動スイッチ
１４  記憶表示部
１５  カウントスイッチ
１６  継続スイッチ
１８  回収玉スイッチ
２０  玉貸機
２１  カードリーダライタ
２２  玉貸制御装置
２３  通信制御装置
２５  有効表示ＬＥＤ
２６  光送受信部
２７  操作パネル
２８  残度表示器
３０  玉貸スイッチ
３１  玉貸可能表示ＬＥＤ
３２  カード返却スイッチ３２
３３  玉貸操作装置
３４  排出装置
３７  排出制御装置
３８  表示制御装置
４０  役物制御装置（遊技制御装置）
４１  発射制御装置
４２  監視装置
４３  遊技用演算処理装置
５０  ＣＰＵコア
５２  ＲＯＭ
５３  ＲＡＭ
６２  ＣＰＵ
６３  ＲＯＭ
６４  ＲＡＭ
６５  不揮発性メモリ
７０  Ｉ／Ｏインターフェイス
７１  表示装置
７２  表示制御装置
７３  インターフェイス回路部
７４  ケース
７５  電源供給リレー
【図１】
2006255441.tif 000003
【図２】
2006255441.tif 000004
【図３】
2006255441.tif 000005
【図４】
2006255441.tif 000006
【図５】
2006255441.tif 000007
【図６】
2006255441.tif 000008
【図７】
2006255441.tif 000009
【図８】
2006255441.tif 000010
【図９】
2006255441.tif 000011
【図１０】
2006255441.tif 000012
【図１１】
2006255441.tif 000013
【図１２】
2006255441.tif 000014
【図１３】
2006255441.tif 000015
【図１４】
2006255441.tif 000016
【図１５】
2006255441.tif 000017
【図１６】
2006255441.tif 000018
【図１７】
2006255441.tif 000019
【図１８】
2006255441.tif 000020
【図１９】
2006255441.tif 000021
【図２０】
2006255441.tif 000022
【図２１】
2006255441.tif 000023
【図２２】
2006255441.tif 000024
【図２３】
2006255441.tif 000025
【図２４】
2006255441.tif 000026